(57)【要約】【課題】初心者からベテランまで幅広いレベルの釣り人の誰にとっても使い易く、尚かつ、釣果の向上が期待できる魚釣り用成型餌を提供する。【解決手段】疑似餌以外の魚釣り用成型餌であって、両端が開孔した中空部２を有する。魚釣り用成型餌１は例えば円筒状であり、長さは、針の針先１２からベンドヒール１３までの長さの1/3から1倍であり、内径は、かえし１１の幅より同等かもしくはそれよりも広い。魚釣り用成型餌１は穀類、保湿剤、液体、摂餌材を含んでいてもよい。保湿剤の配合比率は好ましくは１０〜４８％である。また、魚釣り用成型餌１の表面および中空部２の内部に摂餌材もしくは粉末セルロース５が付着していてもよい。【選択図】図１
2017000119.tif 000002
【特許請求の範囲】
【請求項１】
疑似餌以外の魚釣り用成型餌であって、両端が開孔した中空部を有しており、当該成型餌の長さは、釣り針の針先からベンドヒールまでの長さの1/3から1倍であることを特徴とする、魚釣り用成型餌。
【請求項２】
円筒状であることを特徴とする、請求項１に記載の魚釣り用成型餌。
【請求項３】
前記中空部の内径は、釣り針のかえしの幅と同じもしくはそれよりも大きいことを特徴とする請求項２に記載の魚釣り用成型餌。
【請求項４】
穀類、保湿剤および液体を含む、請求項２または３に記載の魚釣り用成型餌。
【請求項５】
前記穀類は増粘剤を含む、請求項４に記載の魚釣り用成型餌。
【請求項６】
前記保湿剤および液体の配合比率が１０〜４８％である、請求項４または５に記載の魚釣り用成型餌。
【請求項７】
摂餌材、色素、香料、保存剤の少なくともいずれかを含む、請求項４から６のいずれか一項に記載の魚釣り用成型餌。
【請求項８】
当該魚釣り用成型餌の表面および前記中空部の内部に摂餌材もしくは粉末セルロースが付着している、請求項１から７のいずれか一項に記載の魚釣り用成型餌。
【請求項９】
前記中空部に釣り針を通して使う旨の使用説明ないしは使用状態を示す説明が表示された外装体に収容されている、請求項１から８のいずれか一項に記載の魚釣り用成型餌。
【発明の詳細な説明】
【技術分野】
【０００１】
本発明は、魚釣り用成型餌に関する。
【背景技術】
【０００２】
釣り針に取り付けられる魚釣り用の成型餌としては、魚種に合わせて予め特定の大きさ・形状に成型された人工餌など種々のものが存在する。また、このような成型餌として、釣り針に取り付けたときに該釣り針から容易に離脱しないような適度の硬さを備えたものが提案されている（特許文献１参照）。さらに、成型性のよい熱硬化組成物も提案されている（特許文献２参照）。
【先行技術文献】
【特許文献】
【０００３】
【特許文献１】特願平3-351942号公報
【特許文献２】特許第5172715号公報
【発明の概要】
【発明が解決しようとする課題】
【０００４】
しかしながら、従来の成型餌は、初心者からベテランまで幅広いレベルの釣り人の誰にとっても使い易いものというわけではなかった。使い易さが異なれば、釣り針への取り付け方が異なることによって餌の持ち（釣り針からの外れにくさ）が変わったり、魚の食いに影響が及んだりして釣果が大きく異なることがあり、ひいては釣り自体の楽しみや醍醐味が大きく変わってくることもある。そうすると、釣りを簡単に楽しむことを可能とする成型餌ではあるものの、工夫や改良の余地はまだまだあると考えられる。
【０００５】
そこで、本発明は、初心者からベテランまで幅広いレベルの釣り人の誰にとっても使い易く、尚かつ、釣果の向上が期待できる魚釣り用成型餌を提供することを目的とする。
【課題を解決するための手段】
【０００６】
かかる課題を解決するべく、本発明は、魚釣り用の疑似餌以外の成型餌であって、両端が開孔した中空部を有するとともに、その成型餌の長さを針の一部分の長さに対して一定の比率の長さに調整した餌に仕上げたことを特徴とするものである。
中空状成型餌の長さが短すぎれば針から簡単に抜けて外れてしまうし、長すぎれば針に通しにくくなって装着が困難となる。特許文献１にも中空状になったものが図面に記されてはいるが、長さが定められた記述がない。
【０００７】
従って、これら長さが比率調整された成型餌は、開孔部に針先を入れ、中空部に針を通してしまえば針自体が湾曲していることといった理由から、釣り針から成型餌が外れにくく、さらに、その針先にかえし（バーブ、あぐ、あご、モドリ、イケ等とも呼ばれる）が付いているものは尚一層外れにくくなる。したがって、取り付けがきわめて簡単であるにもかかわらず、餌持ちに優れたものとなる。
【０００８】
このように、餌付けの難易度が極めて低いことから、釣りのスキルに差があったとしても、成型餌の取り付け方に大きな差は生じにくい。また、初めて釣りをするような初心者であってもすぐに慣れるし、餌の取り付けを数回行えばすぐにコツを掴むことができる。したがって、生き餌や練り餌などといった餌を扱うときのようなコツや慣れがほとんど不要であり、使用するにあたっての敷居がきわめて低い。
【０００９】
また、上述したように針を中空部に通すだけで簡単に餌を取り付けることができ、例えば練り餌のように餌付けのたびに適量をつまみ取る手間がないし、つまみ取った餌の一部を適度に潰して針の周囲に押さえ付けるといった手間もなく、誰でも同じように取り付けることができる。
【００１０】
しかも、この魚釣り用成型餌は、予め形成された中空部を潰した場合でも、あるいは変形させない場合であっても釣り針に取り付けられることから、従来の成型餌と比較して幅広い状態で釣りに用いられる。したがって、同量の成型餌に比較してより効果的に摂餌作用を促すことが可能である。
【００１１】
上述した魚釣り用成型餌は、円筒状であることが好ましい。
【００１２】
魚釣り用成型餌の長さは、針の針先からベンドヒールまでの長さの1/3から1倍であることが好ましい。
さらに前記中空部の内径は、釣り針のかえしの幅と同じもしくはそれよりも大きいことが好ましい。
【００１３】
また、魚釣り用成型餌は、穀類、保湿剤、液体を含むものであってもよい。
【００１４】
上述の穀類は増粘剤を含んでいてもよい。
【００１５】
好ましくは、前記保湿剤の配合比率が１０〜４８％である。
【００１６】
また、魚釣り用成型餌は、摂餌材、色素、香料、保存剤の少なくともいずれかを含んでいてもよい。
【００１７】
当該魚釣り用成型餌の表面および前記中空部の内部に摂餌材もしくは粉末セルロースが付着していることが好ましい。
【００１８】
また、当該成型餌が収容される外装体に、前記中空部に釣り針を通して使う旨の使用説明ないしは使用状態を示す説明が表示されていてもよい。
【発明の効果】
【００１９】
本発明によれば、初心者からベテランまで幅広いレベルの釣り人の誰にとっても使い易く、尚かつ、釣果の向上が期待できる魚釣り用成型餌を提供することができる。
【図面の簡単な説明】
【００２０】
【図１】本発明に係る魚釣り用成型餌の一形態を示す図である。
【図２】釣り針に魚釣り用成型餌が取り付けられた状態を示す図である。
【図３】釣り針に複数の魚釣り用成型餌が取り付けられた状態を示す図である。
【図４】釣り針の各部名称等を示す図である。
【図５】釣り針がハゲバリ６号（株式会社がまかつ製ハゲ針6号）である場合の、魚釣り用成型餌が釣り針から脱落するまでに振った回数を計測する試験（針抜けテスト）の結果を示す表である。
【図６】釣り針がムツバリ１０号（株式会社ハヤブサ製ムツ針10号）である場合の針抜けテストの結果を示す表である。
【図７】釣り針がチヌ２号（株式会社がまかつ製チヌ針2号）である場合の針抜けテストの結果を示す表である。
【図８】保湿剤添加割合が異なる魚釣り用成型餌の仕上がり、成型性、操作性を示す表である。
【図９】本発明の最適な態様の一例として、好適な数値範囲の中にある魚釣り用成型餌を釣り針の取り付けたときの様子を示す画像である。
【図１０】上向き姿勢（たたきと針先を上に向けた姿勢）のタナゴ針の一例を示す図である。
【図１１】上向き姿勢のタナゴ針（別種）の一例を示す図である。
【図１２】上向き姿勢のハゲ針の一例を示す図である。
【図１３】上向き姿勢のムツ針の一例を示す図である。
【図１４】上向き姿勢のチヌ針の一例を示す図である。
【発明を実施するための形態】
【００２１】
以下、本発明の構成を図面に示す実施の形態の一例に基づいて詳細に説明する。
【００２２】
図１〜図３に魚釣り用成型餌１の一実施形態を示す。この魚釣り用成型餌１は、釣りのキャリアやスキルにかかわらず初心者からベテランまで幅広い層の釣り人が手軽に使用できるように成型されたもので、どこに釣り針１０を通したらよいのか一目で分かる中空孔２が形成された餌となっている。
【００２３】
中空孔２は、このように釣り針１０を通しやすくするとともに１つの釣り針１０に２個、３個といった複数の魚釣り用成型餌も取り付け可能である。（図３参照）
【００２４】
魚釣り用成型餌１は例えば円筒状であるが、その外形は、このほか、球状、これが潰れて偏平した形状、楕円がその長軸または短軸の周りを回転した軌跡のような楕円体状などであってもよい。あるいは、横断面が円形である完全な円筒のほか、これが少し潰れて偏平した形状、外径や内径にむらがある歪（いびつ）な形状、外形が角柱等の形状であってもよい。製造装置、製造工程、材料などにもよるが、実際には厳密な形状というよりはむしろいずれかの形状に近似した形状となる場合がある。したがって、円筒状と表現した場合、魚釣り用成型餌１に関しては厳密な円筒状に限る意味ではない。
【００２５】
また、魚釣り用成型餌１は、長軸方向に真っ直ぐ延びた形状であってもよいし、ある程度反った湾曲形状であってもよい。これも製造装置、製造工程、材料などによるが、どの魚釣り用成型餌１もが均一な形状となっていなくても構わない。なお、釣り針１０の形状やサイズにもよるが、反った湾曲形状の魚釣り用成型餌１であれば、その反りを利用して釣り針１０を通しやすい場合があり、しかも後述のように成型餌は硬化し難く通常は柔らかいので、開孔部より通した際、針の軸にそって変形可能となり、針先１２からベンドヒール１３までの長さより長いものでも使用可能となりうる（図２参照）。
【００２６】
ここで、図４等を参照しつつ、ベンドヒール１３について説明する。なお、図４に示すように、符号１４は軸、符号１５はちもと、符号１６はたたきをそれぞれ表す。
【００２７】
ベンドヒール１３は、たたき１６と針先１２を上に向けた姿勢（上向き姿勢）における最下部となる部分（立ち上がり部分）をいう。なお、この上向き姿勢は、針形状が種類ごとに異なることからすれば一義的には決まり難いが、ちもと１５にハリスを結んだ状態で、釣り針１０に別の釣り針を引っ掛けて重力の方向に荷重をかけ、吊り下げた姿勢が基準となり、釣り針メーカーのカタログに記載されている姿勢なども参考となる。複数種類の釣り針（２種のタナゴ針、ハゲ針、ムツ針、チヌ針）の上向き姿勢、ベンドヒール１３の位置、そして針先１２からベンドヒール１３までの長さＬを図１０〜図１４に示す。なお、これら複数種類の釣り針１０の図からも明らかなように、上向き姿勢に多少のずれ（時計回りまたは反時計回りのずれ）があっても、針先１２からベンドヒール１３までの長さＬに大きなずれが生じるわけではない。製品の公差や、釣り針メーカーによる形状の差異等も考慮すれば、当該長さＬは、厳密な数値ではなく、ある程度の前後幅を含むものである。
【００２８】
さらに、本実施形態の魚釣り用成型餌１は、その太さが均一となるよう設計ないし製造されることが一般的であるが、結果的に、例えばテーパー形状である等、その太さが均一となっていなくても構わない。また、魚釣り用成型餌１は、その両端面３を長軸（中心軸）に対して垂直となるよう切断する等して製造することができるが、結果的に、例えば斜めの切り口となる等、端面３が長軸（中心軸）に対して垂直な面となっていなくても構わない。
【００２９】
要は、魚釣り用成型餌１が魚釣り用の餌としての機能を発揮するうえで、厳密な外形がどうであるか、湾曲しているか真っ直ぐであるか等はそれほど重要な要素ではない。
【００３０】
魚釣り用成型餌１の成分は、対象とする魚種や季節、釣法などに応じて種々の組み合わせとすることができるが、一例として、本実施形態では、成型性をよくするために穀類を主体としている。魚釣り用成型餌１としての好適な粘度を得るために、穀類は増粘剤を含んでいてもよい。
【００３１】
また、魚釣り用成型餌１の割れや、摂餌低減の原因となる魚釣り用成型餌１の乾きを防ぐために、保湿剤（食品添加物、油脂も含む）を配合することが好ましい。保湿効果があれば魚釣り用成型餌１が乾燥しにくく、適度な湿度を保った状態で釣りに用いることができる。保湿剤の全体に対する重量配合の範囲は１０〜４８％であることが好ましく、２０〜４０％であることが成型性を安定的に保つという点で特に好ましい。湿度が適度に保たれた魚釣り用成型餌１によれば、硬化し難いので魚が食べたときの針掛かりが向上する利点もある。また、硬化性を求めすぎて変形せず、餌が付けにくかったり、形状が復元しないほど硬いということがなくなる。
【００３２】
さらに、魚釣り用成型餌１は、対象魚等に応じ、摂餌材、色素、香料、保存剤の少なくとも一つあるいは全部を含んでいてもよい。
【００３３】
また、これら成分を練り上げる際には、液体が加えられる。液体は水でも構わないが、乾燥を防ぐために保湿剤を併用しても構わない。
【００３４】
魚釣り用成型餌１を製造する装置は特に限定されない。例えば、パスタ用の機械（パスタマシン）を使ってパスタを作るように中空状の魚釣り用成型餌１を製造することができるし、あるいは専用の機械を使って製造することもできる。
【００３５】
魚の摂餌促進用として、摂餌材５が用いられる。摂餌材５とは魚やエビをそのまま裁断させたものやボイル裁断させたもの、乾燥粉末化させたものが主であるが、魚が好むエキスやアミノ酸でもよい。摂餌材５は、上述した各成分に混入して一緒に練り上げる他に、成型後の餌の表面や中空孔２の内部にまぶして付着させても構わない。このように付着した摂餌材５は、魚釣り用成型餌１が水中に投入された際に表面から剥がれ、バラけ落ち、集魚効果を高める。他、保管中に生じる成型品同士の付着を防止し、一個一個取り出し易くするために粉末セルロースを表面に付着させてもよい。
【００３６】
また、魚釣り用成型餌１が例えば円筒状である場合、そのサイズは、釣り針１０等との関係が大きく、長さは、魚釣り用成型餌１とともに使用される対象範囲の釣り針１０の針先１２からベンドヒール１３までの長さ（図４中に破線で示す矢印参照）Ｌの1/3から1倍であることが好ましい。なお、当該長さの基準となるベンドヒール１３の位置は、釣り針１０の内側、外側、中心のいずれかに限定する根拠はないが、仮に詳細な位置を問うならば、釣り針１０の太さ（幅）の中心を基準に考えることができる。
また、魚釣り用成型餌１の中空孔２の内径は、釣り針１０のかえし１１の幅（別言すれば、かえし１１の尖った部分つまり最大径となる部分における釣り針１０の太さ＋当該部分におけるかえし１１の釣り針１０からの高さ）と同じもしくはそれよりも大きいことが好ましい。なお、最適な態様の一例として、好適な数値範囲の中にある魚釣り用成型餌１を釣り針１０の取り付けたときの画像を図９に示す。
【００３７】
成型品の長さが、釣り針１０の針先１２からベンドヒール１３までの長さＬの1/3未満となると釣り針１０から餌が抜け易くなってしまう。逆に成型品の長さが、釣り針１０の針先１２からベンドヒール１３までの長さＬの1倍を超えると釣り針１０を成型品に通しにくくなる。
また中空孔２の内径は、かえし１１の幅よりも小さいと釣り針１０を通しにくくなる。
なお、魚釣り用成型餌１が上述のように柱状であったり歪（いびつ）であったりする場合、外径や内径は一定ではないが、その場合でも上述した範囲に収まっていれば魚釣り用成型餌１のサイズとしては好適である。
【００３８】
なお、一つひとつの魚釣り用成型餌１のサイズは均一である必要はなく、例えば、軸方向の長さが釣り針１０の針先１２からベンドヒール１３までの長さＬの1/3から1倍の範囲の魚釣り用成型餌１が混在していてもよい。釣り針１０の形状やサイズにもよるが、長さの異なる複数（例えば２〜３個）の魚釣り用成型餌１を１つの釣り針１０に取り付け、餌持ちや釣果の向上を図ることもできる（図３参照）。
【００３９】
魚釣り用成型餌１が収容される外装体（図示省略）としては、袋や容器を利用することができる。これら外装体は、プラスチック製でも紙製でもその他の材質で構成されたものでもよい。
【００４０】
また、外装体に、魚釣り用成型餌１の中空孔２に釣り針１０を通して使う旨の使用説明ないしは使用状態を示す説明を表示しておくことが好ましい。使用者にこのような説明を見てもらうことで、意図された機能が発揮される態様で魚釣り用成型餌１を使ってもらうことができる。あるいは、複数（例えば２〜３個）の魚釣り用成型餌１を１つの釣り針１０に取り付けることができる旨の説明あるいはその使用状態を示す説明を表示しておいてもよい。こうした場合、複数の魚釣り用成型餌１を取り付けることを使用者に促すことができる。
【００４１】
なお、上述の実施形態は本発明の好適な実施の一例ではあるがこれに限定されるものではなく本発明の要旨を逸脱しない範囲において種々変形実施可能である。
【実施例】
【００４２】
［実施例１］
２０１４年９月１８日、三重県鳥羽市石鏡の沖磯にて本発明に係る魚釣り用成型餌１の効果を試した。餌取りの魚（外道のフグ、コサバ）が多い中、ウキ釣りを実施した。
【００４３】
一般に使用されているオキアミ餌を使用した際はウキに変化なく餌がとられるもしくは途中で針から餌が脱落してしまい、クロダイのいる層まで餌が持たず釣果が得られなかった。
【００４４】
本発明に係る魚釣り用成型餌１を使用した。
針先１２からベンドヒール１３までの長さＬの成型餌を１つ付けて使用したところ、ウキにアタリが明確に出てクロダイが釣れた。針先１２からベンドヒール１３までの長さＬの成型餌を２つ付けても3つ付けてもウキにアタリが出て同様にクロダイが釣れた。クロダイのいる層まで餌が針に確実に残り、釣果を得ることが出来た。
【００４５】
［実施例２］
魚釣り用成型餌１を取り付けた各種釣り針１０を、水温１６度の水を注いだ２Ｌ容器内で、底から水面までの高さ１４０ｍｍの条件下にて２０回振り、魚釣り用成型餌１が釣り針１０から脱落するまでに振った回数を計測する試験（針抜けテスト）を実施した。釣り針１０がハゲバリ６号である場合の結果を図５に、ムツバリ１０号である場合の結果を図６に、チヌ２号である場合の結果を図７に、それぞれ記す。
【００４６】
各表において、太数字は釣り針１０の針先１２からベンドヒール１３までの長さＬに対する魚釣り用成型餌１の長さの比率を表し、表中のそれ以外の単位無しの数字は、魚釣り用成型餌１が釣り針１０から脱落するまでの振った回数を表す。なお、振った回数が２０となっているのは、釣り針１０を２０回振っても脱落しなかった場合と、２０回目に脱落した場合の両方を含む。これは、餌持ちがよいものは何回振っても魚釣り用成型餌１が残ってしまうことになるので、一つの目安として２０回まで振って魚釣り用成型餌１が残れば一応の基準を満たしたものとして扱ったことによる。
【００４７】
計測結果から、針の種類によってばらつきはあるものの、魚釣り用成型餌１の脱落しにくさ（餌持ち）が向上することが確認できた。なお、他と比較して餌持ちが非常に良かったデータは、各表中にて、小さいドットで網掛けをして示している。
本発明に係る魚釣り用成型餌１は、多くの釣り針１０を対象として利用しうるものであるが、以上の各種計測結果からすると、特に、
・チヌ針    1号〜3号、もっとも好ましくは2号
・ムツ針    9号〜11号、もっとも好ましくは10号
・ハゲ針    4号〜9号  もっとも好ましくは6号
・小物針    袖針1号等
等に用いた場合に好適である。またその他、
・タナゴ針  新半月等
等に用いても好適である。
【００４８】
［実施例３］
保湿剤添加割合が異なる複数種類の魚釣り用成型餌１を作製し、各保湿剤添加割合における魚釣り用成型餌１の仕上がり、成型性（表中の記号○は、円柱状にしっかり成型できたもの、×は成型困難、△は不十分な成型あるいは成型出来てもすぐに壊れる等、を表す）、操作性（ここでいう「操作性」とは釣り針１０への魚釣り用成型餌１の装着のし易さを意味し、表中の○は良好、△はやや困難、×は不可、・・・はもともと出来ないということでの記号を表す）を確認した。結果を図８に示す。この結果、魚釣り用成型餌１の仕上がり、成型性、操作性の観点から好ましい保湿剤添加割合を確認することができた。
【産業上の利用可能性】
【００４９】
本発明は、海釣りか、湖沼や河川での釣りかを問わず、疑似餌を除く魚釣り用成型餌に適用して好適である。
【符号の説明】
【００５０】
１…魚釣り用成型餌
２…中空孔（中空部）
３…端面
５…摂餌材
１０…釣り針
１１…釣り針のかえし
１２…針先
１３…ベンドヒール
【図１】
2017000119.tif 000003
【図２】
2017000119.tif 000004
【図３】
2017000119.tif 000005
【図４】
2017000119.tif 000006
【図５】
2017000119.tif 000007
【図６】
2017000119.tif 000008
【図７】
2017000119.tif 000009
【図８】
2017000119.tif 000010
【図９】
2017000119.tif 000011
【図１０】
2017000119.tif 000012
【図１１】
2017000119.tif 000013
【図１２】
2017000119.tif 000014
【図１３】
2017000119.tif 000015
【図１４】
2017000119.tif 000016